(57)【要約】【課題】  ディスクカートリッジが偶発的に開くことを防止して、ディスクが太陽光又は照明光に偶発的に露光されることを防止するためのディスクカートリッジ及びこれと共に使用するためのディスクドライブを提供する。【解決手段】  回転可能なディスクを収容するための、アクセスウィンドウが形成された上壁を有するようなカートリッジシェルと、前記アクセスウィンドウを開閉するための、前記カートリッジシェルに摺動可能に結合されたシャッタ部材と、前記シャッタ部材が前記アクセスウィンドウを閉じるような閉位置で前記シャッタ部材を選択的にロックするためのシャッタロックとを含む。【選択図】  図３
2004362743.tif 000002
【特許請求の範囲】
【請求項１】
ディスクカートリッジであって、
回転可能なディスクを収容するための、アクセスウィンドウが形成された上壁を有するようなカートリッジシェルと、
前記アクセスウィンドウを開閉するための、前記カートリッジシェルに摺動可能に結合されたシャッタ部材と、
前記シャッタ部材が前記アクセスウィンドウを閉じるような閉位置で前記シャッタ部材を選択的にロックするためのシャッタロック装置とを含むことを特徴とするディスクカートリッジ。
【請求項２】
前記シャッタロック装置が、
前記スライドシャッタの摺動を防止するようなロック位置と前記スライドシャッタの摺動を許容するような解除位置の間を移動可能な留め具と、
前記留め具を前記ロック位置に付勢する弾性部材と、
前記弾性部材の底部を支持するために前記カートリッジシェルに固定されたベース壁とを含むことを特徴とする請求項１に記載のディスクカートリッジ。
【請求項３】
前記留め具が、
前記上壁に形成された第１貫通孔に移動可能に挿入されたストッパ部と、
前記上部壁に形成された第２貫通孔に移動可能に挿入されたボタン部と、
前記カートリッジシェルの内部で前記ストッパ部の下端部と前記ボタン部の下端部を連結する架橋部とを含むことを特徴とする請求項２に記載のディスクカートリッジ。
【請求項４】
前記第１貫通孔及び前記第２貫通孔が、前記閉位置で前記スライドシャッタのすぐ近傍に形成されることを特徴とする請求項３に記載のディスクカートリッジ。
【請求項５】
前記ストッパ部及び前記ボタン部が、前記留め具がロック位置にあるときに前記第１貫通孔及び前記第２貫通孔から突出していることを特徴とする請求項４に記載のディスクカートリッジ。
【請求項６】
前記ストッパ部の上端部が、前記留め具が前記解除位置にあるときに前記シャッタ部材の上面の下にあることを特徴とする請求項５に記載のディスクカートリッジ。
【請求項７】
前記ボタン部が前記ストッパ部より長いことを特徴とする請求項６に記載のディスクカートリッジ。
【請求項８】
前記ボタン部の上端部が、前記留め具が解除位置にあるときに前記上面から突出していることを特徴とする請求項７に記載のディスクカートリッジ。
【請求項９】
前記シャッタロック装置が、前記上壁と前記ベース壁の間に配置されかつ前記ロック位置と前記解除位置間での前記留め具の垂直の動きをガイドするような１対のガイド壁をさらに含むことを特徴とする請求項８に記載のディスクカートリッジ。
【請求項１０】
前記ディスクがフォトリフラクティブ材料から形成されることを特徴とする請求項９に記載のディスクカートリッジ。
【請求項１１】
前記アクセスウィンドウが、前記ディスクのデータ記憶領域の一部を露出させることを特徴とする請求項１に記載のディスクカートリッジ。
【請求項１２】
前記カートリッジシェルが、別のアクセスウィンドウが形成された底壁を有し、前記シャッタ部材が前記別のアクセスウィンドウを開閉することを特徴とする請求項１１に記載のディスクカートリッジ。
【請求項１３】
請求項１に記載のディスクカートリッジと共に使用するためのディスクドライブであって、
前記ディスクカートリッジを収容するトレイと、
前記ボタン部を押すための突出部を有するような、前記トレイを覆うためのトップカバーとを含むことを特徴とするディスクドライブ。
【請求項１４】
前記突出部が傾斜面を有することを特徴とする請求項１３に記載のディスクドライブ。
【請求項１５】
請求項１に記載のディスクカートリッジと共に使用するためのディスクドライブであって、
底板に前記ボタン部を押すための突出部を有するような、前記ディスクカートリッジを収容するためのトレイを有することを特徴とするディスクドライブ。
【請求項１６】
前記トレイを覆うためのトップカバーをさらに含むことを特徴とする請求項１５に記載のディスクドライブ。
【請求項１７】
前記カートリッジが上下逆に前記トレイに装着されることを特徴とする請求項１６に記載のディスクドライブ。
【発明の詳細な説明】
【技術分野】
【０００１】
本発明はホログラフィックディスクカートリッジなどのディスクカートリッジ及びこれと共に使用するためのディスクドライブに係り、より詳しくは、カートリッジシェルが偶発的に開くことを防止でき、それによってディスクカートリッジ内のディスクが太陽光及び／または照明光に偶発的に即ち故意的でなく露光されることを防止することができるようなホログラフィックディスクカートリッジと、そのようなディスクカートリッジと共に使用可能なホログラフィックディスクドライブに関するものである。
【背景技術】
【０００２】
ホログラフィックデジタルデータ記録システムは、フォトリフラクティブ材料を記録媒体として用いる情報記録装置であり、半導体レーザ、電荷結合デバイス（ＣＣＤ）、液晶表示器（ＬＣＤ）などの技術が急速に発展するのに従い、商用化の可能性がより高まっている。ホログラフィックデジタルデータ記録システムは、従来の記録装置に比べると、一般に、記録容量及び伝送率が優れている。したがって、指紋に関する情報を記録し再生するための指紋認識システムなどに既に用いられており、その応用分野は徐々に広がっている。
【０００３】
このようなホログラフィックデジタルデータ記録システムは、角度多重、波長多重、位相コード多重、シフト多重または空間多重、またはこれらの多重方法のうち２つ以上を組み合わせたハイブリッド多重方法により、ページ単位でバイナリデジタルデータ情報を含むような数十万のホログラムが記録媒体の一空間に記録されるようにし、そこから記録された情報を読み出す。ホログラフィックデジタルデータ記録システムに用いられる記録媒体は、光不透過性の、ホログラフィックデジタル記録システムから取り外し可能なホログラフィックディスクカートリッジに収容される。したがって、記録媒体は、必要に応じてホログラフィックデジタルデータ記録システムのディスクドライブ装置に装着したりそこから取り外したりできる。
【０００４】
図１−Ａ及び 図１−Ｂは、スライドシャッタがそれぞれ閉じている状態と開いている状態の従来の取り外し可能なディスクカートリッジの平面図である。同図に示すように、ホログラフィックディスクカートリッジ１は、回転可能に取り付けられたディスク２を収容するようなカートリッジシェル４を含む。ディスク２は、フォトリフラクティブ材料で形成された記録媒体である。カートリッジシェル４には、ホログラフィックディスクドライブのピックアップユニット及びドライブスピンドルによってディスク２へのアクセスを可能にするような１つまたは２つ（この従来のホログラフィックディスクカートリッジには２つ）の細長いアクセスウィンドウ７が形成されている。そして、アクセスウィンドウ７を開閉するためのシャッタ３が、カートリッジシェル４の上壁及び下壁に摺動可能に結合されている。
【０００５】
しかし、このような従来のホログラフィックディスクカートリッジにおいては、ホログラフィックディスクカートリッジがディスクドライブ外にあるとき、使用者の不注意などによってスライドシャッタ３が偶発的に摺動されてアクセスウィンドウ７が開いてしまうことがあり得る。このようにして、ディスク２は太陽光または照明光に露光され得る。この場合、ディスク２はフォトリフラクティブ材料で形成されているので変形または変性し、結果的に再生信号の質を劣化させる。
【発明の開示】
【発明が解決しようとする課題】
【０００６】
したがって、本発明の目的は、スライドシャッタが偶発的に開くことを防止するためのシャッタロック機構を含み、それによってディスクの感光性材料の変形または変性を防止するようなホログラフィックディスクカートリッジ及びこれと共に使用するためのホログラフィックディスクドライブを提供することである。
【課題を解決するための手段】
【０００７】
上記のような目的を達成するため、本発明は、回転可能なディスクを収容するための、アクセスウィンドウが形成された上壁を有するようなカートリッジシェルと、アクセスウィンドウを開閉するための、カートリッジシェルに摺動可能に結合されたシャッタ部材と、シャッタ部材がアクセスウィンドウを閉じるような閉位置でシャッタ部材を選択的にロックするためのシャッタロック装置とを含むようなディスクカートリッジを提供する。
【発明の効果】
【０００８】
本発明によれば、ディスクカートリッジのスライドシャッタが偶発的に開くことを防止できる。したがって、感光性材料で形成されるディスクが意図せずして露光されることによるディスクの変性が防止される。
【発明を実施するための最良の形態】
【０００９】
以下、添付図面に基づいて本発明の好ましい実施例を説明するが、図２ないし図５においては同等の部材には同等の符号を付ける。
【００１０】
図２は、スライドシャッタが閉じている状態のホログラフィックディスクカートリッジの平面図である。図３は、図２の線III−IIIについての断面図である。
【００１１】
図２及び図３に示すように、ホログラフィックカートリッジ１０は、フォトリフラクティブ材料で形成された記録媒体であるディスク１２を回転可能に収容するようなカートリッジシェル１５を含む。カートリッジシェル１５は、ホログラフィックデジタルデータ記録システムに組み込まれたディスクドライブのピックアップユニットとドライブスピンドルによってディスク１２へのアクセスを可能にするような上部アクセスウィンドウ１７ａと下部アクセスウィンドウ１７ｂをそれぞれ有するような上壁と下壁を備える。上部及び下部アクセスウィンドウ１７ａ、１７ｂを同時に開閉するためのスライドシャッタ１３が、カートリッジシェル１５の上壁及び下壁に摺動可能に結合されている。ホログラフィックディスクカートリッジ１０はまた、ディスクカートリッジ１０がディスクドライブに装着されていないときにスライドシャッタ１３を閉位置にロックするためのシャッタロック装置５０を含む。シャッタロック装置５０は、カートリッジシェル１５内に取り付けられる。
【００１２】
上部及び下部アクセスウィンドウ１７ａ、１７ｂは、ディスク１２のデータ記録領域の一部とハブ（図示せず）を露出し得るようにそれぞれ上部壁と下部壁に形成された開口部である。
【００１３】
スライドシャッタ１３は、上部アクセスウィンドウ１７ａを開閉するための上部シャッタ部材１３ａと、下部アクセスウィンドウ１７ｂを開閉するための下部シャッタ部材１３ｂと、上部シャッタ部材１３ａの外端部分と下部シャッタ部材１３ｂの外端部分とを連結するための連結部１３ｃとを含む。上部シャッタ部材１３ａと下部シャッタ部材１３ｂが連結部１３ｃにより連結されているため、スライドシャッタ１３は、上部及び下部アクセスウィンドウ１７ａ、１７ｂを同時に開閉することができる。
【００１４】
カートリッジシェル１５の上壁及び下壁には、１対のガイド部１４がそれぞれ設けられる。ガイド部１４は、上部及び下部シャッタ部材１３ａ、１３ｂがカートリッジシェル１５の上壁及び下壁をガイド面１４ａに沿って水平に摺動するように、上部及び下部シャッタ部材１３ａ、１３ｂの内端部分をガイドする。
【００１５】
更に、ガイド部１４にはばね等の弾性部材（図示せず）が設けられ、上部及び下部アクセスウィンドウ１７ａ、１７ｂを閉じるような閉位置に向けてスライドシャッタ１３を付勢する。
【００１６】
シャッタロック装置５０は、スライドシャッタ１３の摺動を防止するようなロック位置とスライドシャッタ１３の摺動を許容するような解除位置の間を移動するＵ字状の留め具２０と、ディスクカートリッジ１０がディスクドライブに装着されていないときに留め具２０をロック位置に付勢するコイルばね等の弾性部材２２と、弾性部材２２の下部を支持するためにカートリッジシェル１５の上壁に概ね平行に配置されかつ両方の側壁にしっかり固定されたベース壁２７とを含む。
【００１７】
留め具２０は、カートリッジシェル１５の上壁に形成された第１貫通孔２６ｃにぴったりと移動可能に嵌合されたストッパ部２０ｃと、カートリッジ１５の上部壁に上部アクセスウィンドウ１７ａに関連して第１貫通孔２６ｃの反対側に形成された第２貫通孔２６ｂにぴったりと移動可能に嵌合されたボタン部２０ｂと、カートリッジシェル１５の内部でストッパ部２０ｃの下端部とボタン部２０ｂの下端部とを連結する架橋部２０ａとを含む。第１貫通孔２６ｃ及び第２貫通孔２６ｂは、閉位置でスライドシャッタ１３のすぐ近傍に形成され、それによって、そこから突出したストッパ部２０ｃとボタン部２０ｂがスライドシャッタ１３の反対側に当接してスライドシャッタ１３の摺動を防止する。一方、留め具２０が解除位置まで押し下げられた場合、ストッパ部２０ｃの上端は上部シャッタ部材１３ａの底面の下に位置することになる。このとき、ボタン部２０ｂが尚も第２貫通孔２６ｂから突出するように、ボタン部２０ｂはストッパ部２０ｃより長いことが好ましい。
【００１８】
また、弾性部材２２は通常、留め具２０が上壁の下面と逆方向に押し上げられてロック位置に収まるように、留め具２０の底部に弾性力を加える。下向きの外力Ｅがボタン部２０ｂに加えられると、留め具２０は、弾性部材２２に逆らって解除位置まで押し下げられる。また、弾性部材２２は、ボタン部２０ｂが押し下げられるときに留め具２０の回転を防止するために、ボタン部２０ｂの下側において留め具２０とベース壁２７間に配置されるのが好ましい。
【００１９】
また、１対のガイド壁２４が、上部壁とベース壁２７の間に垂直に延長し、留め具２０のロック位置と解除位置の間の移動をガイドする。ガイド壁２４はまた、上壁を支持する役割もする。したがって、上壁は下向きの外力に耐えて、上壁とディスク１２との接触に起因する物理的損傷を防止することができる。
【００２０】
図４及び図５はそれぞれ、構造的に相違するディスクドライブのトレイに装着された本発明のディスクカートリッジ１０の断面図である。図４及び図５に示すように、ディスクドライブは、ディスクカートリッジ１０がディスクドライブに装着されるときにボタン部２０ｂを内向きに押し込むような突出部４２、３２をそれぞれ有する。
【００２１】
ボタン部２０ｂが突出部４２、３２により弾性部材２２に逆らって内向きに押し込まれるとき、ストッパ部２０ｃの上端が上部シャッタ部材１３ａの底面の下に位置するように即ち留め具２０が解除状態に位置するように、ストッパ２０ｃも内向きに動かされる。一方、ボタン部２０ｂは、ストッパ部２０ｃより長く、留め具２０が解除状態にあるときでも尚も上壁から突出している。したがって、スライドシャッタ１３は、矢印で示された方向にのみ摺動して開位置に位置決めされ得る。次に、スライドシャッタ１３は、ディスクドライブのシャッタオープナー（図示せず）によって矢印で示された方向に摺動して開位置に位置決めされる。次に、ドライブスピンドルはディスク１２のハブに係合し、ピックアップユニットは、読出しまたは書込み動作のために上部及び下部アクセスウィンドウ１７ａ、１７ｂを介して露出されるディスク１２のデータ記録領域の付近に位置決めされる。スライドシャッタ１３は、読出しまたは書込み動作中、シャッタオープナーにより開位置に維持される。
【００２２】
ディスクカートリッジ１０がディスクドライブから取り外される前に、シャッタオープナーは、ガイド部１４内の弾性部材の復元力によりスライドシャッタ１３が閉位置に戻るように、スライドシャッタ１３を解放する。このとき、ボタン部２０ｂは上部壁から尚も突出しているので、スライドシャッタ１３は閉位置で停止する。このとき、ディスクドライブのトップカバー４０を引っ込めるかまたはディスクカートリッジ１０をトレイ３０ａから取り外すことにより、ボタン部２０ｂは突出部４２または３２から解除される。ボタン部２０ｂが突出部４２、３２から解除されるとすぐに、留め具２０は弾性部材２２の復元力により閉位置に戻る。
【００２３】
前述のように、スライドシャッタ１３は、閉位置では、ストッパ部２０ｃの上端が上部シャッタ部材１３ａの底面の下に位置しない限り、摺動され得ない。したがって、ディスクカートリッジ１０がディスクドライブから取り外されるかあるいはディスクドライブの外部に置かれたときに、意図的でなく即ち偶発的にスライドシャッタ１３が開くこと及びそれ故にディスク１２が太陽光または照明光に露光されることを確実に防止することができる。
【００２４】
また、前述したディスクドライブのトップカバー４０において、突出部４２は、トップカバー４０がトレイ３０を覆うために水平に動くときにボタン部２０ｂと接触するような傾斜面を有するのが好ましい。このように、トップカバー４０の垂直な動きが存在せずに水平の動きのみによってボタン部２０ｂが押され得る。
【００２５】
図５に示すように、トレイ３０ａは、その底板の内面に、ディスクカートリッジ１０が上下逆にトレイ３０ａに装着されるときにボタン部２０ｂを押すような突出部３２を有する。ディスクカートリッジ１０を保持するトレイ３０ａを覆うために、トップカバー４０ａが設けられる。
【００２６】
本明細書においては、好ましい実施例として、ホログラフィックディスクカートリッジとホログラフィックディスクドライブを説明したが、本発明は、ディスクカートリッジが偶発的に開くことを防止する必要があるようないかなる種類のディスクカートリッジにも適用することができる。
【００２７】
以上で説明したものは、本発明によるディスクカートリッジ及びこれとともに使用するディスクドライブを具現するための一実施例に過ぎず、本発明は上記実施例に限定されるものではなく、当業者であれば、特許請求の範囲に示されるような本発明の要旨及び本発明の技術的精神を逸脱しない限りにおいて、種々の変更または改変を行い得ることが理解されよう。
【図面の簡単な説明】
【００２８】
【図１−Ａ】スライドシャッタが閉じているときの、従来の取り外し可能なホログラフィックディスクカートリッジの平面図である。
【図１−Ｂ】スライドシャッタが開いているときの、従来の取り外し可能なホログラフィックディスクカートリッジの平面図である。
【図２】本発明の好適実施例に基づくホログラフィックディスクカートリッジの平面図である。
【図３】本発明の好適実施例に基づくホログラフィックディスクカートリッジの断面図である。
【図４】ディスクドライブに装着されている本発明のホログラフィックディスクカートリッジの断面図である。
【図５】別の構造のディスクドライブに装着されている本発明のホログラフィックディスクカートリッジの断面図である。
【符号の説明】
【００２９】
１０    ホログラフィックカートリッジ
１２    ディスク
１３    スライドシャッタ
１３ａ    上部シャッタ部材
１３ｂ    下部シャッタ部材
１４    ガイド部
１５    カートリッジシェル
１７ａ    上部アクセスウィンドウ
１７ｂ    下部アクセスウィンドウ
２０    留め具
２０ａ    架橋部
２０ｂ    ボタン部
２０ｃ    ストッパー部
２２    弾性部材
２４    ガイド壁
２７    ベース壁
３２、４２    突出部
４０    トップカバー
５０    シャッタロック装置
【図１−Ａ】
2004362743.tif 000003
【図１−Ｂ】
2004362743.tif 000004
【図２】
2004362743.tif 000005
【図３】
2004362743.tif 000006
【図４】
2004362743.tif 000007
【図５】
2004362743.tif 000008